【事件の表示】
　特許第２７６４３９８号「ドライバ−内蔵液晶パネル」の特許に対する特許異議の申立てについて、次のとおり決定する。
【結論】
　訂正を認める。
　特許第２７６４３９８号の特許を維持する。
【理由】
１、手続きの経緯
　本件特許第２７６４３９８号の発明は、昭和６２年８月２０日に特許出願され、平成１０年４月３日にその特許の設定登録がなされ、その後、牧田由男より特許異議の申立てがなされ、取消理由通知がなされ、その指定期間内である平成１１年４月２２日に訂正請求がなされたものである。
２、訂正の適否についての判断
（１）訂正の要旨
　訂正事項ａ
　特許請求の範囲の請求項１に係る記載を以下のように訂正する。
「１．一対の基板間に画素領域を包囲するように形成されたシール材により封じ込まれた液晶が挟持され、該一対の基板の一方の基板に、マトリクス状に配列されたデータ線とタイミング線と、該データ線と該タイミング線に接続された複数のスイッチング素子と、該スイッチング素子に接続された画素電極からなる画素領域と、該一方の基板の該画素領域周辺に該データ線と該タイミング線の少なくとも一方を駆動する駆動回路が配置されてなるドライバー内蔵液晶パネルにおいて、
　該一対の基板の他方の基板の内面及び外面は突出部のない平坦な面からなり、且つ該他方の基板は該駆動回路を覆うように延在されてなり、
　該画素領域及び該駆動回路を包囲するように、且つ該他方の基板の全辺に沿うように該一対の基板間にモールド材が形成されてなることを特徴とするドライバー内蔵液晶パネル。」
　訂正事項ｂ
　明細書第３頁第１０行の「シール剤」を「シール材」と訂正する。
　訂正事項ｃ
　明細書第４頁第１１行〜第５頁第３行を下記のとおり訂正する。
「本発明は、一対の基板間に画素領域を包囲するように形成されたシール材により封じ込まれた液晶が挟持され、該一対の基板の一方の基板に、マトリクス状に配列されたデータ線とタイミング線と、該データ線と該タイミング線に接続された複数のスイッチング素子と、該スイッチング素子に接続された画素電極からなる画素領域と、該一方の基板の該画素領域周辺に該データ線と該タイミング線の少なくとも一方を駆動する駆動回路が配置されてなるドライバー内蔵液晶パネルにおいて、該一対の基板の他方の基板の内面及び外面は突出部のない平坦な面からなり、且つ該他方の基板は該駆動回路を覆うように延在されてなり、該画素領域及び該駆動回路を包囲するように、且つ該他方の基板の全辺に沿うように該一対の基板間にモールド材が形成されてなることを特徴とする。」
　訂正事項ｄ
　図面の簡単な説明の欄を以下のとおりに訂正する。
「第１図（ａ）（ｂ）は、本発明の実施例を示すドライバー内蔵液晶パネルの概要断面図（ａ）と平面図（ｂ）である。
　第２図は、ドライバー内蔵アクティブマトリックス基板の回路模式図である。第３図は（ａ）（ｂ）は、従来のドライバー内蔵液晶パネルの概要断面図（ａ）と平面図（ｂ）である。
１・・・タイミング線（ゲート線）
２・・・データ線（ソース線）
３・・・薄膜トランジスター
４・・・画素電極
５・・・タイミング線駆動回路
６・・・データ線駆動回路
７・・・絶縁性基板
８・・・パネル表示領域
９・・・周辺接続用端子
１０・・・対向基板
１１・・・対向電極
１２・・・液晶
１３・・・シール材
１４・・・封入口
１５・・・パッシベーション
１６・・・樹脂
１７・・・穴洞部」
（２）訂正の目的の適否、新規事項の有無及び拡張・変更の存否
　上記訂正事項ａは、特許請求の範囲の減縮、誤記の訂正及び明りょうでない記載の釈明に該当し、上記訂正事項ｂ及びｄは、誤記の訂正に該当し、また、上記訂正事項ｃは、明りょうでない記載の釈明に該当するものである。そして、上記各訂正事項は、新規事項の追加に該当せず、実質的に特許請求の範囲を拡張又は変更するものではない。
（３）独立特許要件の判断
　訂正明細書の特許請求の範囲の請求項１に記載されている事項により特定される発明（以下、「本件発明」という）は次のとおりである。
「一対の基板間に画素領域を包囲するように形成されたシール材により封じ込まれた液晶が挟持され、該一対の基板の一方の基板に、マトリクス状に配列されたデータ線とタイミング線と、該データ線と該タイミング線に接続された複数のスイッチング素子と、該スッチング素子に接続された画素電極からなる画素領域と、該一方の基板の該画素領域周辺に該データ線と該タイミング線の少なくとも一方を駆動する駆動回路が配置されてなるドライバー内蔵液晶パネルにおいて、
　該一対の基板の他方の基板の内面及び外面は突出部のない平坦な面からなり、且つ該他方の基板は該駆動回路を覆うように延在されてなり、
　該画素領域及び該駆動回路を包囲するように、且つ該他方の基板の全辺に沿うように該一対の基板間にモールド材が形成されてなることを特徴とするドライバー内蔵液晶パネル。」
（引用刊行物）
　これに対して、当審で引用した刊行物１（特開昭５９−２１４０７５号公報）には、以下のような発明が記載されている。　即ち、
「第１図（１），（２）にはアクティブパネルの画素の回路の例を揚げた。同図（１）は中間調表示も可能なテレビ用の表示パネルの画素の回路図である。１が１個の画素に含まれる画素回路であり、表示画像データ２は画素選択信号３によりＮチャンネル電界効果トランジスタ４をＯＮ状態にし、信号保持用コンデンサ５に書き込まれる。これは各画素の上部に形成された画素電極６につながれ、上ガラス基板上に形成された透明電極７との間に封入された液晶８に電界を印加して、信号保持用コンデンサ５に保持された電圧に対応した階調を持つ表示を行なう。」（公報第２頁左上欄第９行〜２０行）、
「第４図には本発明によるアクティブパネルの構成の１例を示した。第３図と同様に３０は半導体基板、３３は液晶の流出を防ぐ為のシール剤であり、３４は上ガラス基板である。４７は液晶駆動用の画素電極であり、４８は画素電極の信号を作る画素回路である。・・・第３図で述べた周辺制御回路は、集約されることによってできた画面の余白部に作り込まれる（５１，５２，５３，５４）。・・・このように画素回路を画面中央部に集約し、空白となった画面下部に周辺制御回路を作り込んでしまうことで、第３図のようにシールの外側に回路を形成する必要がなくなるため、画面の端と半導体基板の端の間の距離６１は最小の寸法で設計することができ、シール剤３３の外側には信号の入力端子６０を形成する領域のみが残り、パネル全体の小型化が実現できる。」（公報第３頁右上欄第１行〜左下欄第１７行）、
　なる記載事項があり、該記載事項と図面、特に第１図と第４図ないし第６図の記載からして、
　一対の基板間に画素電極からなる画素領域を包囲するように形成されたシール剤により液晶が挟持され、該一対の基板の一方の基板である半導体基板に、マトリックス状に配列された表示画像データ線と画素選択信号線と、該表示画像データ線と画素選択信号線に接続された複数のＮチャンネル電界効果トランジスタと、該Ｎチャンネル電界効果トランジスタに接続された画素電極からなる画素領域と、該一方の基板の該画素領域周辺に該表示画像データ線と該Ｎチャンネル電界効果トランジスタ線の少なくとも一方を駆動する周辺制御回路が配置されてなるドライバー内蔵アクティブパネルにおいて、
　該基板の他方の基板である上ガラス基板は該画素領域に対応する画面の下部に設けられた該周辺制御回路の上に延在しており、
　この結果、該画素領域と該周辺制御回路が下部に設けられた上記画面部とがシール剤により包囲され、且つ該他方の基板の全辺の近傍に沿うように該一対の基板間に該シール剤が形成されてなるドライバー内蔵アクティブパネル。
　なる発明が記載されている。
　また、同じく引用した刊行物２（特開昭６１−１７７４８１号公報）には、以下のような発明が記載されている。即ち、
「従来、第２図に示すように表示領域１を駆動する周辺回路２を封止する場合、一般の集積回路で使用されるモールド剤７を用いていた。」（公報第１頁右欄第１０行〜１２行）、
「従来のこのような欠点を解決するため、周辺回路の封止をモールド剤を用いて行うことを中止し、より信頼性があるとともに、より簡単な工程で封止することのできる封止構造を提供することを目的としている。」（公報第２頁左上欄第４行〜８行）、
「以上のような実施例において、シール剤を用いて周辺回路を封止した場合、表示領域のシール工程で同時にできるため、従来のモールド剤を用いた工程に比べて工程数を削減できる。」（公報第２頁右上欄第２０行〜左下欄第３行）、
（なお、その目的なるものとして、周辺回路の電気特性の劣化防止及び封止の信頼性向上等があげられている。）。
　上記のような記載事項があり、また、該記載事項と第２図の記載からして、液晶表示装置における液晶を封止するシール剤の存在は明らかであるから、
　一対の基板である下基板と上基板の基板間に表示領域を包囲するように形成されたシール剤により封じ込まれた液晶が挟持され、一方の基板である下基板の表示領域周辺に該表示領域を駆動する周辺回路が配置されてなる液晶表示装置において、該周辺回路をモールド剤により封止した構成。
　が記載されている。
（対比、判断）
　本件発明と上記刊行物１及び２に記載された発明とを対比すると、上記刊行物１及び２に記載された発明のいずれにも、本件発明を特定する事項である、一対の基板のうちの一方の基板（画素領域が配置された基板）の画素領域周辺にデータ線とタイミング線の少なくとも一方を駆動する駆動回路が配置されてなるドライバー内蔵液晶パネルにおいて、該一対の基板のうちの他方の基板は該駆動回路を覆うように延在されてなり、該画素領域及び該駆動回路を包囲するように、且つ該他方の基板の全辺に沿うように該一対の基板間にモールド材が形成されてなる、とした点の構成は具備されてはいない。
　そして、本件発明の上記の点の構成は自明といえるものではなく、また、刊行物１及び２に記載された発明に基づいて容易に得られるものではない。　即ち、刊行物１に記載された発明においては、上記の点の構成に関連する事項としては、他方の基板に相当する上ガラス基板が画素領域と該画素領域に対応する画面の下部に設けられた周辺制御回路（駆動回路）の上に延在しており、この結果、該画素領域と該周辺制御回路が下部に設けられた上記画面部とがシール剤（シール材）により包囲され、且つ該シール剤が一対の基板間に液晶を封じ込め挟持する点の構成が開示されているにすぎず、該周辺制御回路の保護（損傷、湿気等からの保護）については該発明の目的とするところではなく、該周辺制御回路の保護については何らの示唆すらされてはいないのである。してみれば、上記刊行物２に記載された発明における周辺回路の劣化防止等の保護を目的とした上記周辺回路（駆動回路）をモールド剤（モールド材）により封止するという点の構成を刊行物１に記載された発明の周辺制御回路に適用する直接的な動機付けはないのであるから、該適用が容易なことであるということはできず、また、たとえ該適用がなされたとしても本件発明の上記の点の具体的な構成は上記刊行物１及び２に記載された発明のものからは容易に推考し得るものではない。
　そして、本件発明は上記の点の構成を有することにより本件訂正明細書に記載の本件発明に特有の作用効果を奏するものである。
　したがって、上記の点の構成を備えた本件発明は、上記刊行物１及び２に記載された発明に基づいて容易に発明をすることができたものであるとすることはできない。
　また、他に本件発明について、独立して特許を受けることができないとする理由は発見しない。
　よって、本件発明は特許出願の際独立して特許を受けることができるものである。
（４）むすび
　以上のとおりであるから、上記訂正請求は、特許法第１２０条の４第２項及び同条第３項で準用する特許法第１２６条第２〜４項の規定に適合するので、当該訂正を認める。
３、特許異議の申立てについての判断
（１）申立ての理由の概要
　申立人、牧田由男は、証拠として甲第１号証（特開昭５９−２１４０７５号公報）及び甲第２号証（特開昭６１−１７７４８１号公報）を提出し、本件請求項１に係る発明は、上記甲第１号証に記載された発明に基づいてもしくは該甲第１号証及び甲第２号証に記載された発明に基づいて容易に発明をすることができたものであるから、該発明の特許は、特許法第２９条第２項の規定に違反してなされたものであり、その特許は取り消されるべきものであると主張している。
（２）証拠として提出された甲第１号証及び甲第２号証に記載された発明
　上記甲第１号証（前記刊行物１に相当）及び甲第２号証（前記刊行物２に相当）にはそれぞれ、前記２−（３）「独立特許要件の判断」の「（引用刊行物）」の項において述べたとおりの発明が記載されている。
（３）本件発明（訂正明細書の特許請求の範囲の請求項１に記載されている事項により特定される発明）と上記甲第１号証及び甲第２号証に記載された発明との対比、判断
　本件発明は、前記２−（３）「独立特許要件の判断」の「（対比、判断）」の項において述べた理由のとおりであり、上記甲第１号証及び甲第２号証に記載された発明のものからは容易に発明をすることができたものではなく、また、該理由から明らかなように上記甲第１号証に記載された発明のものから容易に発明をすることができたものでもない。
（４）むすび
　以上のとおりであるから、本件発明の特許、即ち、本件訂正明細書の請求項１に係る発明の特許は、申立人牧田由男の主張した理由及び証拠によっては取り消すことはできない。
　また、他に本件訂正明細書の請求項１に係る発明の特許を取り消すべき理由を発見しない。
　よって、結論のとおり決定する。
【異議決定日】
平成１１年６月３０日（１９９９．６．３０）
【訂正の要旨】
　訂正の要旨
訂正事項ａ
　特許請求の範囲の請求項１に係る記載を、特許請求の範囲の減縮を目的として以下のように訂正する。
「１．一対の基板間に画素領域を包囲するように形成されたシール材により封じ込まれた液晶が挟持され、該一対の基板の一方の基板に、マトリクス状に配列されたデータ線とタイミング線と、該データ線と該タイミング線に接続された複数のスイッチング素子と、該スイッチング素子に接続された画素電極からなる画素領域と、該一方の基板の該画素領域周辺に該データ線と該タイミング線の少なくとも一方を駆動する駆動回路が配置されてなるドライバー内蔵液晶パネルにおいて、
　該一対の基板の他方の基板の内面及び外面は突出部のない平坦な面からなり、且つ該他方の基板は該駆動回路を覆うように延在されてなり、
　該画素領域及び該駆動回路を包囲するように、且つ該他方の基板の全辺に沿うように該一対の基板間にモールド材が形成されてなることを特徴とするドライバー内蔵液晶パネル。」
訂正事項ｂ
　明細書第３頁第１０行の「シール剤」を「シール材」と、誤記の訂正を目的として訂正する。
訂正事項ｃ　
　明細書第４頁第１１行〜第５頁第３行の記載を、明りょうでない記載の釈明を目的として以下のように訂正する。
「本発明は、一対の基板間に画素領域を包囲するように形成されたシール材により封じ込まれた液晶が挟持され、該一対の基板の一方の基板に、マトリクス状に配列されたデータ線とタイミング線と、該データ線と該タイミング線に接続された複数のスイッチング素子と、該スイッチング素子に接続された画素電極からなる画素領域と、該一方の基板の該画素領域周辺に該データ線と該タイミング線の少なくとも一方を駆動する駆動回路が配置されてなるドライバー内蔵液晶パネルにおいて、該一対の基板の他方の基板の内面及び外面は突出部のない平坦な面からなり、且つ該他方の基板は該駆動回路を覆うように延在されてなり、該画素領域及び該駆動回路を包囲するように、且つ該他方の基板の全辺に沿うように該一対の基板間にモールド材が形成されてなることを特徴とする。」
訂正事項ｄ
　図面の簡単な説明の欄の記載を、誤記の訂正を目的として以下のように訂正する。
「第１図（ａ）（ｂ）は、本発明の実施例を示すドライバー内蔵液晶パネルの概要断面図（ａ）と平面図（ｂ）である。
　第２図は、ドライバー内蔵アクティブマトリックス基板の回路模式図である。第３図は（ａ）（ｂ）は、従来のドライバー内蔵液晶パネルの概要断面図（ａ）と平面図（ｂ）である。
１・・・タイミング線（ゲート線）
２・・・データ線（ソース線）
３・・・薄膜トランジスター
４・・・画素電極
５・・・タイミング線駆動回路
６・・・データ線駆動回路
７・・・絶縁性基板
８・・・パネル表示領域
９・・・周辺接続用端子
１０・・・対向基板
１１・・・対向電極
１２・・・液晶
１３・・・シール材
１４・・・封入口
１５・・・パッシベーション
１６・・・樹脂
１７・・・穴洞部」
（５４）【発明の名称】
ドライバー内蔵液晶パネル
（５７）【特許請求の範囲】
　１．一対の基板間に画素領域を包囲するように形成されたシール材により封じ込まれた液晶が挟持され、該一対の基板の一方の基板に、マトリクス状に配列されたデータ線とタイミング線と、該データ線と該タイミング線に接続された複数のスイッチング素子と、該スイッチング素子に接続された画素電極からなる画素領域と、該一方の基板の該画素領域周辺に該データ線と該タイミング線の少なくとも一方を駆動する駆動回路が配置されてなるドライバー内蔵液晶パネルにおいて、
　該一対の基板の他方の基板の内面及び外面は突出部のない平坦な面からなり、且つ該他方の基板は該駆動回路を覆うように延在されてなり、
　該画素領域及び該駆動回路を包囲するように、且つ該他方の基板の全辺に沿うように該一対の基板間にモールド材が形成されてなることを特徴とするドライバー内蔵液晶パネル。
【発明の詳細な説明】
〔産業上の利用分野〕
　本発明は、ドライバー内蔵液晶パネルの構造に関する。
〔従来の技術〕
　アクティブマトリックス基板のスイッチング素子として絶縁ゲート型ＭＯＳトランジスターあるいは薄膜トランジスターを用いれば、同一基板上に駆動回路を内蔵することが可能であり、周辺の実装がしやすくなるという長所がある。
　第２図は、絶縁性基板上にマトリックス状に配置された薄膜トランジスターと周辺駆動回路から構成された液晶表示用ドライバー内蔵アクティブマトリックス基板の模式図である。１（Ｇ１〜Ｇｍ）は、タイミング線となるゲート線、２（Ｓ１〜Ｓｒ）はデータ線となるソース線であり、その交差点に配置された薄膜トランジスター３によりデータを画素電極４に書き込んでいる。５は、タイミング線駆動回路、６はデータ線駆動回路でありこの図は、両側駆動の場合を示している。
　第３図は、従来のドライバー内蔵液晶パネルの概要断面図（ａ）と平面図（ｂ）である。アクティブマトリックス基板は絶縁性基板７上に、薄膜トランジスターと配線と画素電極からなるパネル表示領域８と、タイミング線１を駆動するタイミング線駆動回路５と、データ線２を駆動するデータ線駆動回路６と周辺接続用端子９が形成されている。対向電極基板は、絶縁性の対向基板１０上に、対向電極１１が形成されている。両基板を配向処理した後、液晶１２を封じ込めるシール材１３を対向基板側にパターン印刷して両基板を組み合わせた後、封入口１４より液晶を注入すれば、液晶パネルができる。周辺駆動回路は、外部雰囲気に露出した状態になるので、あらかじめパッシベーション膜１５を形成しておくか、パネル完成後に樹脂モールド等を施して、周辺駆動回路を湿気保護しておく必要がある。
〔発明が解決しようとする問題点〕
　しかし、前述の従来技術では、周辺駆動回路の耐湿保護は樹脂モールドの厚みむらがあると不完全であり、また、樹脂モールドの上からでも引っかきキズ等の機械的応力がかかると、素子破壊を発生するという問題点もあり、取り扱いには慎重を要する。
　そこで本発明はこのような問題点を解決するもので、その目的とするところは、周辺駆動回路を湿気および機械的応力から十分保護できるドライバー内蔵液晶パネルの構造を提供するところにある。
〔問題点を解決するための手段〕
　本発明は、一対の基板間に画素領域を包囲するように形成されたシール材により封じ込まれた液晶が挟持され、該一対の基板の一方の基板に、マトリクス状に配列されたデータ線とタイミング線と、該データ線と該タイミング線に接続された複数のスイッチング素子と、該スイッチング素子に接続された画素電極からなる画素領域と、該一方の基板の該画素領域周辺に該データ線と該タイミング線の少なくとも一方を駆動する駆動回路が配置されてなるドライバー内蔵液晶パネルにおいて、
　該一対の基板の他方の基板の内面及び外面は突出部のない平坦な面からなり、且つ該他方の基板は該駆動回路を覆うように延在されてなり、
　該画素領域及び該駆動回路を包囲するように、且つ該他方の基板の全辺に沿うように該一対の基板間にモールド材が形成されてなることを特徴とする。
〔作用〕
　本発明の上記の構成によれば、ドライバー内蔵アクティブマトリックス基板上の周辺駆動回路は、対向電極基板により、機械的応力（キズ、損傷等）から保護されており、十分な樹脂を両基板の間に充填するか周辺を被ふくすることにより、安定で均一な耐湿性を維持できるものである。
〔実施例〕
　第１図は、本発明の実施例を示すドライバー内蔵液晶パネルの概要断面図（ａ）と平面図（ｂ）である。第３図の従来例と異なるのは、対向基板１０上に対向電極１１を有した対向電極基板がタイミング線駆動回路５とデータ線駆動回路６の上まで延長されており、周辺駆動回路を機械的応力から保護している点にある。さらに周辺を樹脂１６でモールドすることにより周辺駆動回路の耐湿性も向上している。樹脂１６は、粘度の低いものを周辺駆動回路上の穴洞部１７に充填してさらに粘度の高い樹脂で周辺を被ふくするような二層構造とすることも可能である。
　アクティブマトリックス基板としては、本実施例に示されるような絶縁性基板として透明基板を用いれば薄膜トランジスターを用いた透過性の液晶パネルが実現できるほか不透明な半導体基板を用いればＭＯＳトランジスターを用いた反射型の液晶パネルも可能である。
〔発明の効果〕
　以上述べたように本発明によれば次のような効果がある。
　第１に、周辺駆動回路が、対向電極基板におおわれているため、素子部を傷つけたり汚すことがなく、取り扱いが容易で信頼性が向上する。
　第２に、周辺の樹脂モールドが多量でかつ均一にできるため耐湿性が向上する。
【図面の簡単な説明】
　第１図（ａ）（ｂ）は、本発明の実施例を示すドライバー内蔵液晶パネルの概要断面図（ａ）と平面図（ｂ）である。
　第２図は、ドライバー内蔵アクティブマトリックス基板の回路模式図である。
　第３図は（ａ）（ｂ）は、従来のドライバー内蔵液晶パネルの概要断面図（ａ）と平面図（ｂ）である。
　　１…タイミング線（ゲート線）
　　２…データ線（ソース線）
　　３…薄膜トランジスター
　　４…画素電極
　　５…タイミング線駆動回路
　　６…データ線駆動回路
　　７…絶縁性基板
　　８…パネル表示領域
　　９…周辺接続用端子
　１０…対向基板
　１１…対向電極
　１２…液晶
　１３…シール材
　１４…封入口
　１５…パッシベーション
　１６…樹脂
　１７…穴洞部